(57)【要約】【課題】ホーム柵の広告表示装置であり、広告ポスターの有効な保護および容易な交換を行うことができ、広告ポスターの盗難を確実に防止し、広告ポスターの交換管理を適切に行うことができるホーム柵の広告表示装置を提供する。【解決手段】このホーム柵の広告表示装置は、広告媒体２３をカバー部材である保守パネル２１とアクリル板２２で保護して収容しかつ情報媒体２４が付設された広告媒体フレーム１５を用いて広告を行うように構成される。広告媒体フレームを用いたため、広告媒体を汚れと盗難を防止し、さらに容易に交換することが可能となる。【選択図】図１
2015052683.tif 000002
【特許請求の範囲】
【請求項１】
広告媒体をカバー部材で保護して収容しかつ情報媒体が付設された広告媒体フレームを用いて広告を行うようにしたことを特徴とするホーム柵の広告表示装置。
【請求項２】
前記広告媒体フレームを取り付けるホーム柵の取付け箇所と、前記広告媒体フレームを前記取付け箇所に着脱自在に取付けかつロック構造部を有する取付け具と、前記情報媒体に記録された情報で前記広告媒体フレームに収容される前記広告媒体を管理する管理手段とを備えることを特徴とする請求項１記載のホーム柵の広告表示装置。
【請求項３】
前記情報媒体に記録された前記情報は、前記広告媒体フレームを特定するＩＤであることを特徴とする請求項２記載のホーム柵の広告表示装置。
【請求項４】
前記情報媒体はバーコードまたはＩＣタグであることを特徴とする請求項１〜３のいずれか１項に記載のホーム柵の広告表示装置。
【請求項５】
前記情報媒体の情報内容を検知して前記管理手段に送信する検知送信手段を備えることを特徴とする請求項２記載のホーム柵の広告表示装置。
【請求項６】
前記管理手段による管理内容は前記広告媒体の広告表示期間であることを特徴とする請求項２記載のホーム柵の広告表示装置。
【請求項７】
前記管理手段は、前記ＩＤに基づき、対応する前記広告媒体フレームの設置場所、広告内容、広告表示期限を管理する集中管理コンピュータであることを特徴とする請求項３記載のホーム柵の広告表示装置。
【発明の詳細な説明】
【技術分野】
【０００１】
本発明はホーム柵の広告表示装置に関し、特に、ホーム柵における開閉ドアの戸袋筐体の正面部に簡単に着脱できる広告フレーム構造を有し、保護、盗難防止、交換容易性、交換管理に適したホーム柵の広告表示装置に関するものである。
【背景技術】
【０００２】
近年では、列車から旅客を保護する目的で駅ホームには線路側の縁に沿ってホーム柵が設置されている。このホーム柵では、開閉ドア（可動柵）の戸袋構造を有した筐体（固定柵）の正面部分を利用して広告がなされている。
【０００３】
ホーム柵を利用した従来の広告表示によれば、一般的には、筐体の正面部のパネル部分に広告用ポスターを貼り付けるようにしていた。
また、上記の広告表示装置に関連する従来の公知技術の文献としては特許文献１，２が存在する。特許文献１に開示された広告システムによれば、プラットホームに設置された転落防止用等の防護用柵であり、外枠とこの外枠内に設けられた補強体とから構成された当該防護用柵において、補強体に広告表示板体が一体的に取り付けられている。また特許文献２に開示された広告表示板によれば、店頭等に設置される広告表示板であり、周縁に額縁部を形成した広告保持板を備え、広告シートを挿入した透明の保護シートからなる広告板を広告表示板の表裏両面のいずれかに装着している。
【先行技術文献】
【特許文献】
【０００４】
【特許文献１】特開２００９−３６００１号公報
【特許文献２】特開２００２−８２６２１号公報
【発明の概要】
【発明が解決しようとする課題】
【０００５】
前述した従来の広告表示の仕方によれば、単に筐体の正面部のパネル部分に広告用ポスターを貼るだけであったので、広告用ポスターが剥がれやすい、広告ポスターが汚れやすい、あるいは広告ポスターの取り替えが面倒である、という問題があった。特許文献１に開示された広告システムは、防護用柵であり、補強体部分に広告表示板体が一体的に取り付けられるだけであり、ホーム柵とは異なるものであり、かつ上記の問題を解決することはできなかった。また特許文献２に開示された広告表示板は、主に額縁枠体であり、形状的にはホーム柵の筐体の正面部には取り付け難いものであり、上記の問題を解決することはできなかった。
さらに、上記のホーム柵を利用した広告表示によれば、大都市のターミナル駅等のホームでは大量の旅客が見ることから、広告ポスターの内容によっては盗難されることもあり、また駅構内のホームにおける広い空間で多種の広告内容が表示され、さらにこれらの大量の多種の広告内容が比較的に短い期間で変更されていくという特性を有している。このような観点から、広告ポスターの有効な保護を達成し、広告ポスターの交換を容易に行うことができ、広告ポスターの盗難を確実に防止し、さらに広告ポスターの交換と適切に管理すること（期限、内容、表示または掲示の場所等）が求められている。
【０００６】
本発明の目的は、上記の課題に鑑み、駅ホームに設置されたホーム柵の広告表示装置であり、広告ポスターの有効な保護および容易な交換を行うことができ、広告ポスターの盗難を確実に防止し、さらに広告ポスターの交換管理（期限、内容、表示場所等）を適切に行うことができるホーム柵の広告表示装置を提供することにある。
【課題を解決するための手段】
【０００７】
本発明に係るホーム柵の広告表示装置は、上記の目的を達成するため、次のように構成される。
【０００８】
第１のホーム柵の広告表示装置（請求項１に対応）は、広告媒体をカバー部材で保護して収容しかつ情報媒体が付設された広告媒体フレームを用いて広告を行うように構成される。
【０００９】
上記のホーム柵の広告表示装置では、ポスター等の広告媒体をカバー部材で保護して収容しかつ情報媒体が付設された広告媒体フレームを用いることにより、当該広告媒体を汚すことなく、盗難を確実に防止して安全に保持することができ、さらに容易に交換することが可能となる。さらに情報媒体が付設されていることから、広告ポスター等に関する情報を利用してその交換管理等を適切に行うことが可能になる。
【００１０】
第２のホーム柵の広告表示装置（請求項２に対応）は、上記の構成において、好ましくは、広告媒体フレームを取り付けるホーム柵の取付け箇所と、広告媒体フレームを取付け箇所に着脱自在に取付けかつロック構造部を有する取付け具と、情報媒体に記録された情報で広告媒体フレームに収容される広告媒体を管理する管理手段とを備えることを特徴とする。
この構成によれば、駅ホームに設置されたホーム柵の正面等の箇所に広告媒体フレームを取り付けることができると共に、当該広告媒体フレームを取り付けるための取付け具にによって着脱自在に取り付けられ、かつロック機構部によって第三者にとっては取り外しを困難なものとしている。また別の箇所に管理手段を設け、この管理手段により、広告媒体フレームに付設された情報媒体に記録される情報を受けることにより、広告媒体フレームに収容された広告媒体の提示期限等の管理を行うことが可能となる。
【００１１】
第３のホーム柵の広告表示装置（請求項３に対応）は、上記の構成において、好ましくは、情報媒体に記録された情報は、広告媒体フレームを特定するＩＤであることを特徴とする。
この構成によれば、情報媒体に記録されたＩＤによって広告媒体フレームを特定することができ、これによって管理手段の側では広告媒体フレームごとの管理を行うことが可能となる。また管理手段の側で広告媒体フレームのＩＤに応じてその設置場所等のデータや広告期間のデータと関連付けを行うことができれば、広告場所や広告期間の管理を行うことが可能となる。
【００１２】
第４のホーム柵の広告表示装置（請求項４に対応）は、上記の構成において、好ましくは、情報媒体はバーコードまたはＩＣタグであることを特徴とする。
【００１３】
第５のホーム柵の広告表示装置（請求項５に対応）は、上記の構成において、好ましくは、情報媒体の情報内容を検知して管理手段に送信する検知送信手段を備えることを特徴とする。この構成によれば、広告媒体フレームの側から検知送信手段を通して自動的に情報内容を管理手段側に提供することが可能となり、駅係員が逐一広告媒体フレームの広告媒体をチェックし、管理する必要がなくなる。
【００１４】
第６のホーム柵の広告表示装置（請求項６に対応）は、上記の構成において、好ましくは、管理手段による管理内容は広告媒体の広告表示期間であることを特徴とする。
【００１５】
第７のホーム柵の広告表示装置（請求項７に対応）は、上記の構成において、好ましくは、管理手段は、ＩＤに基づき、対応する広告媒体フレームの設置場所、広告内容、広告表示期限を管理する集中管理コンピュータであることを特徴とする。
【発明の効果】
【００１６】
本発明によれば、次の効果を奏する。
広告ポスター等の広告媒体をカバー部材で保護して収容した広告媒体フレームを用いて広告を行うようにしたため、例えば駅ホームに設置されたホーム柵等の広告表示装置として、広告ポスターの有効な保護および容易な交換を行うことができる。
また広告媒体フレームは、ロック機構を有する取付け具を介してホーム柵等の正面部に着脱自在に取り付けられるため、容易な交換を行うことができると共に、広告ポスターの盗難を確実に防止することができる。
また情報媒体が付設された広告媒体フレームを用いるため、情報媒体の情報が適切に管理手段に送られ、当該管理手段による管理処理に基づいて、広告ポスターの交換管理（期限、内容、表示場所等）をタイミングよく適切に行うことができる。
また広告媒体フレームの側に情報媒体の情報内容を検知して管理手段に送信する検知送信手段を備えるようにしたため、広告媒体フレームの側から検知送信手段を通して自動的に情報内容を管理手段側に提供することができ、駅係員が逐一広告媒体フレームの広告媒体をチェックし、管理する必要がないという効果が発揮される。
【図面の簡単な説明】
【００１７】
【図１】本発明に係るホーム柵の広告表示装置の代表的な実施形態を示す斜視図である。
【図２】広告媒体フレームの構造の第１実施例を示す斜視図である。
【図３】広告媒体フレームの構造の第２実施例を示す斜視図である。
【発明を実施するための形態】
【００１８】
以下に、本発明の好適な実施形態（実施例）を添付図面に基づいて説明する。
【００１９】
図１を参照して本発明に係るホーム柵の広告表示装置の代表的な実施形態を説明する。図１において、１０はホーム柵であり、当該ホーム柵１０は駅ホーム１１の軌道（線路）側の縁に沿って設置されている。ホーム柵１０において、１２は駅ホーム１１の床面に固定された固定柵の部分であり、１３は開閉自在に水平方向に移動する可動柵の部分である。固定柵の部分１２を以下では「筐体１２」と記し、可動柵の部分１３を以下では「開閉ドア１３」と記す。筐体１２は、内部に、開閉ドア１３を水平方向にて出し入れするための戸袋構造、開閉ドア１３を水平方向に移動させるための駆動装置、当該駆動装置の駆動動作を制御する制御装置を内蔵している。開閉ドア１３は、筐体１２の端面１２Ａにて縦方向に形成されたスリット状開口部１２Ａ−１を通して出し入れされる。
【００２０】
図１では、一例として２つの筐体１２が所定距離の間隔をあけて配置されている。この間隔のスペース部分が、列車が駅ホーム１１に入線したとき、列車の乗降ドアの箇所と一致し、旅客が乗降するための通路になる。図１中、右側の開閉ドア１３は右側の筐体１２の内部から移動して外部に出現し、左側の開閉ドア１３は左側の筐体１２の内部から移動して外部に出現している。左右の２つの開閉ドア１３は、その先端部を突き合わせた状態にあり、これにより所謂ホームドアとしての閉状態が作られている。図１に示したホーム柵１０の構成は、駅ホーム１１の軌道側の縁に沿って列車の長さに応じて配置されており、当該列車の各乗降ドアに対応して設けられている。
【００２１】
上記の左右一対の開閉ドア１３は、通常、駅ホーム１１に列車が入線するまでは閉じた状態にあり、列車が入線して列車の乗降ドアが開くと、これに連動するように開閉動作が制御されて開動作を行う。また列車に対する旅客の乗降が終わり、列車の乗降ドアが閉じようとするときには、これに連動するように制御されて閉動作を行う。
【００２２】
上記ホーム柵１０の筐体１２における駅ホーム１１側の壁面は空きスペース用の平面として形成されている。筐体１２の空きスペースとしての壁面を広告を行うための空きスペースとして利用する。図１において、右側の筐体１２の当該壁面に、広告媒体（広告ポスター等）の表示または提示を行わせるための取付け箇所１４が設定されている。この広告媒体を表示等させるための取付け箇所１４は、広告媒体を直接に貼り付けるための場所ではなく、広告媒体を収容した広告媒体フレーム１５を取り付けるための場所として設定されている。取付け箇所１４は好ましくは矩形の領域として形成され、広告媒体フレーム１５の背面形状と一致している。取付け箇所１４の例えば上辺には取付け具１６が設けられている。取付け具１６にはロック構造部１６Ａが内蔵されている。ロック構造部１６Ａは、広告媒体フレーム１５を取付け箇所１４に配置して取付け具１６に嵌め込むことによって固定した後に、図示しないキーによって施錠され、ロック状態に保持される。ロック構造部１６Ａを備えた取付け具１６の構成は任意である。
【００２３】
なお、上記の取付け箇所１４は、ホーム柵１０においては、固定柵または可動柵の任意の箇所に設定することができる。さらに本発明では「ホーム柵の広告表示装置」としているが、広告媒体フレーム１５の取付け箇所１４としては、ホーム柵１０、あるいは駅ホーム１１のいずれかの箇所、さらには駅構内の階段やエスカレータ等の箇所などに設定することも可能である。
【００２４】
広告媒体フレーム１５の構造を図２に示す。広告媒体フレーム１５は、背面部としての保守パネル２１と、表の正面部側の透明なアクリル板２２とから構成される。保守パネル２１とアクリル板２２はいずれも広告媒体２３を保護するカバー部材として機能する。保守パネル２１では、その正面側をアクリル板２２の板厚分だけ落とし込んで凹所２１Ａが形成され、その凹所２１Ａにアクリル板２２を嵌め込むと、面一になるように形成される。このような形状を有する保守パネル２１とアクリル板２２の間に広告媒体２３が挟み込まれて、収容される。アクリル板２２はネジ等で保守パネル２１に固定される。このようにして構成された広告媒体フレーム１５は、図１に示すごとく、取付け箇所１４に配置され、さらに取付け具１６に取り付けられ、内蔵されたロック構造部１６Ａによって施錠状態で固定される。
【００２５】
広告媒体フレーム１５の例えば正面には、保守パネル２１の下辺部の箇所に情報媒体２４が付設されている。この情報媒体２４は、例えば、バーコードまたはＩＣタグである。この情報媒体２４がバーコードの場合にはバー配列によるコードとして、ＩＣタグの場合にはそのメモリに格納されたデータとして、それぞれ、広告媒体２３に関する情報、または広告媒体にフレーム１５に関する情報（例えば、広告媒体フレームを特定するＩＤ等）が、当該情報媒体２４によって記録または記憶されている。
【００２６】
広告媒体フレーム１５の正面に付設された情報媒体２４に記録された上記の情報は、図１の矢印２５に示すごとく、通信手段（回線を含む）を経由して、管理装置２６に送信される。通信手段の構成は、任意の構成を採用できる。例えば、駅係員が情報媒体２４から情報を読み取る携帯機器を所持し、この携帯機器が有する無線通信機能を利用して情報媒体２４の情報を管理装置２６に送信することができる。またホーム柵１０の筐体１２に、情報媒体２４の情報の内容を自動的に検知して管理装置２６に送信する検知送信装置２７を設けるように構成することもできる。特に情報媒体２４がＩＣタグの場合には、検知送信装置２７は、ＩＣタグとの間で適時なタイミングで送受信を行って必要な情報を入手し、かつ管理装置２６との間で通信を行う機能を有した無線情報読取り機である。情報媒体２４がバーコードの場合には、バーコード読取り機能およびデータ通信機能を有した機器である。また管理装置２６は例えば集中管理コンピュータである。管理装置２６は、データ格納手段２６Ａ（保存メモリ等）を内蔵し、このデータ格納手段２６Ａには各広告媒体フレームの設置場所、広告内容、広告表示期限（広告表示期間）等の情報を予め記憶している。管理装置２６は、情報媒体２４から送信された情報、特に、広告媒体フレーム１５を特定するＩＤを受信すると、当該ＩＤに基づき、対応する広告媒体フレーム１５の設置場所、広告内容、広告表示期限等を抽出し、必要な状況に応じて適切なタイミングで情報提供２８を行うように構成されている。
【００２７】
上記の構成を有するホーム柵の広告表示装置によれば、広告媒体２３を、例えばホーム柵１０の筐体１２の壁面に表示させる場合において、直接に張るのではなく、先ず上記構造を有した広告媒体フレーム１５の中に収容され、広告媒体フレーム１５を取付け箇所１４に配置し、取付け具１６に取付け、さらにそのロック構造部１６Ａで固定する。ポスター等の広告媒体２３は、広告媒体フレーム１５に収容されることにより、カバー部材である保守パネル２１とアクリル板２２によって保護され、汚れることなく、かつ盗難されること困難な状態で、筐体１２の壁面に表示される。
【００２８】
また広告媒体フレーム１５は、取付け具１６内のロック構造部１６Ａによって施錠されて固定されるので、広告媒体フレーム１５自体を盗難することも難しい。
【００２９】
保守パネル２１に対してアクリル板２２はネジ等で着脱自在であるので、所要の工具を有した駅係員等にとって、広告媒体１５の交換は必要に応じて簡単に行うことができる。
【００３０】
広告媒体２３が収容された広告媒体フレーム１５が取付け箇所１４に配置され、取付け具１６により取り付けられると、例えば検知送信装置２７が当該広告媒体フレーム１５の情報媒体２４が提供する情報（ＩＤ等）を読み取って、その通信手段により、管理装置２６に送信する。管理装置２６は、検知送信装置２７から、広告媒体フレーム１５のＩＤ等の情報を受けると、データ格納手段２６Ａから、広告媒体フレーム１５の設置場所、広告内容、広告表示期限等を抽出し、駅係員等が待機する管理室のパソコン等に対して情報提供２８を行う。特に、広告表示期限や広告媒体の交換時期については、その時期に応じて適切なタイミングで情報提供２８が行われる。これにより、駅係員等は、管理作業の負荷を増大させることなく、適切なタイミングで、広告媒体２３の交換を行うことができる。
【００３１】
図３を参照して広告媒体フレームの他の構造例（第２の実施例）を説明する。この広告媒体フレーム３０は、表の正面側に透明部を有する保守パネル３１を備え、背面側に裏カバーとしてのアクリル板３２を備えている。この広告媒体フレーム３０では、正面側の保守パネル３１と背面側のアクリル板３２の間に広告媒体２３を挟み込んで、アクリル板３２を保守パネル３１の後側からネジ等で固定する。なお、広告媒体フレーム３０においても同様に保守パネル３１の下辺の箇所に情報媒体２４が付設されている。情報媒体２４の機能や役割は前述した通りである。
【００３２】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００３３】
本発明に係るホーム柵の広告表示装置は、駅ホームに設置されたホーム柵やその他の箇所等に表示される広告媒体を、汚すことなくかつ盗難を受けることなく表示し、さらに適切な広告期間でタイミングよく交換を行うのに利用される。
【符号の説明】
【００３４】
１０            ホーム柵
１１            駅ホーム
１２            筐体（固定柵）
１２Ａ          端面
１２Ａ−１      スリット状開口部
１３            開閉ドア（可動柵）
１４            取付け箇所
１５            広告媒体フレーム
１６            取付け具
１６Ａ          ロック構造部
２１            保守パネル
２２            アクリル板
２３            広告媒体
２４            情報媒体
２６            管理装置
２６Ａ          データ格納手段
２７            検知送信装置
２８            情報提供
３０            広告媒体フレーム
３１            保守パネル
３２            アクリル板
【図１】
2015052683.tif 000003
【図２】
2015052683.tif 000004
【図３】
2015052683.tif 000005